(57)【要約】【課題】大きな捕捉力を有し、かつ、大きな力を作用させずに引戸を開くことができる引戸捕捉装置、および引戸ストッパーを提供する。【解決手段】引戸３側に被捕捉部材５Ａを設け、引戸レール４側に被捕捉部材５Ａを捕捉する引戸ストッパー１０を設け、引戸３の閉状態を保持する引戸捕捉装置８であって、引戸ストッパー１０は、引戸ストッパー本体２０と、被捕捉部材５Ａを捕捉し、引戸ストッパー本体２０に対して引戸３の開閉方向へ移動可能に構成され、開方向へ移動したときに捕捉を強制的に解除或いは捕捉力を低減するストッパー４０と、ストッパー４０を戸閉方向へと付勢するストッパー用ばね５０とを備える。【選択図】図２
2015017461.tif 000002
【特許請求の範囲】
【請求項１】
引戸側に被捕捉部材を設け、引戸レール側に前記被捕捉部材を捕捉する引戸ストッパーを設け、前記引戸の閉状態を保持する引戸捕捉装置であって、
前記引戸ストッパーは、
引戸ストッパー本体と、
前記被捕捉部材を捕捉し、前記引戸ストッパー本体に対して前記引戸の開閉方向へ移動可能に構成され、開方向へ移動したときに捕捉を強制的に解除或いは捕捉力を低減するストッパーと、
前記ストッパーを戸閉方向へと付勢するストッパー用ばねと
を備えたことを特徴とする引戸捕捉装置。
【請求項２】
前記ストッパーは、前記被捕捉部材を捕捉した状態で、前記ストッパー用ばねの付勢力に抗して所定の移動距離だけ開方向へ移動したときに捕捉を強制的に解除或いは捕捉力を低減するようにしたことを特徴とする請求項１に記載の引戸捕捉装置。
【請求項３】
前記ストッパーは、２つの捕捉アームを有し、これらの捕捉アームの基端部側が連結されると共に先端部側が開放された略Ｕ字形状に形成され、前記捕捉アームの先端部側から前記被捕捉部材が入り込む捕捉溝が設けられており、前記捕捉アームの弾性で前記被捕捉部材を挟み込むことで前記被捕捉部材を捕捉し、前記捕捉アームの先端部側を強制的に拡開することで前記被捕捉部材の捕捉が解除或いは捕捉力が低減されるように構成したことを特徴とする請求項１または請求項２に記載の引戸捕捉装置。
【請求項４】
前記引戸ストッパー本体に誘導突起または誘導長穴のいずれか一方を設け、前記捕捉アームに前記誘導突起または誘導長穴が挿入される誘導長穴または誘導突起のいずれか他方を設け、前記ストッパーの開方向への移動によって前記誘導突起が前記誘導長穴に沿って相対的に移動することで、前記捕捉アームが強制的に拡開するように構成したことを特徴とする請求項３に記載の引戸捕捉装置。
【請求項５】
前記捕捉アームの前記誘導長穴または前記誘導突起のいずれか他方を、前記ストッパーの先端部側に配置し、前記捕捉アームの先端部と基端部との間には、前記捕捉溝の幅寸法を狭くした幅狭部が形成されていることを特徴とする請求項４に記載の引戸捕捉装置。
【請求項６】
前記被捕捉部材は、その断面形状において中央部がくびれたひょうたん型に形成され、前記被捕捉部材の前記中央部のくびれに前記幅狭部が入り込むようにして前記被捕捉部材を捕捉することを特徴とする請求項５に記載の引戸捕捉装置。
【請求項７】
前記捕捉アームの捕捉溝側の内側面には、前記幅狭部よりも戸開側に第１傾斜面が形成され、前記幅狭部よりも戸閉側に前記第１傾斜面よりも急傾斜な第２傾斜面が形成されていることを特徴とする請求項６に記載の引戸捕捉装置。
【請求項８】
前記誘導長穴の傾斜角度は、前記第２傾斜面の傾斜角度よりも緩やかに形成されていることを特徴とする請求項７に記載の引戸捕捉装置。
【請求項９】
前記引戸の開状態、或いは開状態と閉状態の両方を保持するように構成したことを特徴とする請求項１から請求項８のいずれか１つに記載の引戸捕捉装置。
【請求項１０】
引戸レール側または引戸側のいずれか一方に配置され、前記引戸側或いは引戸レール側のいずれか他方に設けられた被捕捉部材を捕捉して前記引戸の閉状態を保持する引戸ストッパーであって、
引戸ストッパー本体と、
前記被捕捉部材を捕捉し、前記引戸ストッパー本体に対して前記引戸の開閉方向へ移動可能に構成され、開方向へ移動したときに捕捉を強制的に解除或いは捕捉力を低減するストッパーと、
前記ストッパーを戸閉方向へと付勢するストッパー用ばねと
を備えたことを特徴とする引戸ストッパー。
【請求項１１】
前記ストッパーは、前記被捕捉部材を捕捉した状態で、前記ストッパー用ばねの付勢力に抗して所定の移動距離だけ開方向へ移動したときに捕捉を強制的に解除或いは捕捉力を低減するようにしたことを特徴とする請求項１０に記載の引戸ストッパー。
【請求項１２】
前記ストッパーは、２つの捕捉アームを有し、これらの捕捉アームの基端部側が連結されると共に先端部側が開放された略Ｕ字形状に形成され、前記捕捉アームの先端部側から前記被捕捉部材が入り込む捕捉溝が設けられており、前記捕捉アームの弾性で前記被捕捉部材を挟み込むことで前記被捕捉部材を捕捉し、前記捕捉アームの先端部側を強制的に拡開することで前記被捕捉部材の捕捉が解除或いは捕捉力が低減されるように構成したことを特徴とする請求項１０または請求項１１に記載の引戸ストッパー。
【発明の詳細な説明】
【技術分野】
【０００１】
本発明は、引戸の閉じた状態或いは開いた状態を保持する引戸捕捉装置、および引戸捕捉装置に用いられる引戸ストッパーに関する。
【背景技術】
【０００２】
従来、引戸が閉じた状態を保持する引戸捕捉装置が知られている。この引戸捕捉装置は、例えば、引戸が走行するレール側に引戸ストッパーを設けるとともに引戸側に支持軸を設け、引戸が完全に閉じた状態で、ストッパーが支持軸を捕捉・保持するものがある（例えば、特許文献１参照）。
【０００３】
また、引戸を勢いよく閉じたとき（支持軸が勢いよくストッパーに突き当たったとき）、ストッパーが支持軸を捕捉しきれずに跳ね返ってしまい、その反動で引戸が開いてしまうことがある。これを解決するために、ストッパーを開閉方向に移動可能に構成するとともに、ストッパーを閉方向へ引き込むばねを設けたものも知られている。この技術によれば、ストッパーが移動することによって支持軸がストッパーに突き当たっても捕捉状態が外れ難くなるとともに、ばねによって反動を吸収して閉じた状態へと引戸を引き込むようになる（例えば、特許文献２参照）。
【先行技術文献】
【特許文献】
【０００４】
【特許文献１】特開平１０−２９９３１７号公報
【特許文献２】特開２００５−３６４９７号公報
【発明の概要】
【発明が解決しようとする課題】
【０００５】
上述したそれぞれの引戸捕捉装置の技術では、ストッパーが支持軸を確実に捕捉・保持するように、ストッパーの捕捉力を大きくすることが好ましい。しかしながら、この捕捉力を大きくすると、利用者が引戸を開こうとする際に、この大きな捕捉力に抗して捕捉力以上の力で引戸を開かなければならない。そのため、高齢者の方や子供のように大きな力を作用させづらい人にとって引戸が開け難くなってしまう。
【０００６】
本発明は、上述した事情を鑑みてなされたものであり、その目的は、大きな捕捉力を有し、かつ、大きな力を作用させずに引戸を開くことができる引戸捕捉装置、および引戸ストッパーを提供するためのものである。
【課題を解決するための手段】
【０００７】
上述課題を解決するため、本発明に係る引戸捕捉装置は、引戸側に被捕捉部材を設け、引戸レール側に前記被捕捉部材を捕捉する引戸ストッパーを設け、前記引戸の閉状態を保持するためのものであり、前記引戸ストッパーは、引戸ストッパー本体と、前記被捕捉部材を捕捉し、前記引戸ストッパー本体に対して前記引戸の開閉方向へ移動可能に構成され、開方向へ移動したときに捕捉を強制的に解除或いは捕捉力を低減するストッパーと、前記ストッパーを戸閉方向へと付勢するストッパー用ばねとを備えたことを特徴とする。
【０００８】
また、前記ストッパーは、前記被捕捉部材を捕捉した状態で、前記ストッパー用ばねの付勢力に抗して所定の移動距離だけ開方向へ移動して捕捉を強制的に解除或いは捕捉力を低減するようにしてもよい。
【０００９】
また、前記ストッパーは、２つの捕捉アームを有し、これらの捕捉アームの基端部側が連結されると共に先端部側が開放された略Ｕ字形状に形成され、前記捕捉アームの先端部側から前記被捕捉部材が入り込む捕捉溝が設けられており、前記捕捉アームの弾性で前記被捕捉部材を挟み込むことで前記被捕捉部材を捕捉し、前記捕捉アームの先端部側を強制的に拡開することで前記被捕捉部材の捕捉が解除或いは捕捉力が低減されるように構成することもできる。
【００１０】
さらに、前記引戸ストッパー本体に誘導突起または誘導長穴のいずれか一方を設け、前記捕捉アームに前記誘導突起または誘導長穴が挿入される誘導長穴または誘導突起のいずれか他方を設け、前記ストッパーの開方向への移動によって前記誘導突起が前記誘導長穴に沿って相対的に移動することで、前記捕捉アームが強制的に拡開するように構成することもできる。
【００１１】
また、前記捕捉アームの前記誘導長穴または前記誘導突起のいずれか他方を、前記ストッパーの先端部側に配置し、前記捕捉アームの先端部と基端部との間には、前記捕捉溝の幅寸法を狭くした幅狭部が形成されていてもよい。
【００１２】
さらに、前記被捕捉部材は、その断面形状において中央部がくびれたひょうたん型に形成され、前記被捕捉部材の前記中央部のくびれに前記幅狭部が入り込むようにして前記被捕捉部材を捕捉するようにしてもよい。
【００１３】
さらにまた、前記捕捉アームの捕捉溝側の内側面には、前記幅狭部よりも戸開側に第１傾斜面が形成され、前記幅狭部よりも戸閉側に前記第１傾斜面よりも急傾斜な第２傾斜面が形成されていてもよい。
【００１４】
また、前記誘導長穴の傾斜角度は、前記第２傾斜面４６の傾斜角度よりも緩やかに形成されていてもよい。
【００１５】
また、前記引戸の開状態、或いは開状態と閉状態の両方を保持するように構成することもできる。
【００１６】
一方、本発明に係る引戸ストッパーは、引戸レール側または引戸側のいずれか一方に配置され、前記引戸側或いは引戸レール側のいずれか他方に設けられた被捕捉部材を捕捉して前記引戸の閉状態を保持するものであり、引戸ストッパー本体と、前記被捕捉部材を捕捉し、前記引戸ストッパー本体に対して前記引戸の開閉方向へ移動可能に構成され、開方向へ移動したときに捕捉を強制的に解除或いは捕捉力を低減するストッパーと、前記ストッパーを戸閉方向へと付勢するストッパー用ばねとを備えたことを特徴とする。
【００１７】
さらに、前記ストッパーは、前記被捕捉部材を捕捉した状態で、前記ストッパー用ばねの付勢力に抗して所定の移動距離だけ開方向へ移動したときに捕捉を強制的に解除或いは捕捉力を低減するようにしてもよい。
【００１８】
また、前記ストッパーは、２つの捕捉アームを有し、これらの捕捉アームの基端部側が連結されると共に先端部側が開放された略Ｕ字形状に形成され、前記捕捉アームの先端部側から前記被捕捉部材が入り込む捕捉溝が設けられており、前記捕捉アームの弾性で前記被捕捉部材を挟み込むことで前記被捕捉部材を捕捉し、前記捕捉アームの先端部側を強制的に拡開することで前記被捕捉部材の捕捉が解除或いは捕捉力が低減されるように構成することもできる。
【発明の効果】
【００１９】
本発明に係る引戸捕捉装置および引戸ストッパーでは、ストッパーが開方向へと移動したときに捕捉が強制的に解除或いは捕捉力が低減されるようになっているので、引戸を開くときに従来技術のように捕捉アームの弾性に抗して大きな力を作用させる必要がない。そのため、大きな力を作用させづらい人にとっても引戸を容易に開けることができる。また、ストッパーの戸閉時の捕捉力は、従来技術と同等或いはそれ以上に設定することができるので、大きな捕捉力をそのまま維持することができる。
【図面の簡単な説明】
【００２０】
【図１】本発明の実施の形態に係る引戸捕捉装置を備えた収納棚を示す正面図である。
【図２】図１のＸ部の拡大図である。
【図３】引戸ストッパーの分解斜視図であって、上下を逆にして示したものである。
【図４】引戸ストッパーの分解斜視図であって、上下を逆にして示したものである
【図５】ストッパー４０を単体で示した斜視図である。
【図６】図４の状態から、ばね受け部材にストッパーおよびストッパー用ばねを組み付けた分解斜視図である。
【図７】図５の状態から、ばね受け部材を引戸ストッパー本体に組み付けた分解斜視図である。
【図８】引戸が完全に閉じられた状態であって、支持軸が捕捉溝の中で捕捉された状態を示す底面図である。
【図９】図８から引戸を戸開側へ少し移動させた状態であって、支持軸が幅狭部に係合・捕捉された状態を示す底面図である。
【図１０】図９から引戸をさらに戸開側へ移動させた状態であって、支持軸の捕捉が解除される状態を示す底面図である。
【図１１】図８のＡ−Ａ断面図である。
【図１２】本発明の変形例であって、図８に対応するものである。
【図１３】本発明の他の変形例であって、図８に対応するものである。
【発明を実施するための形態】
【００２１】
以下、本発明の実施の形態に係る引戸捕捉装置８、および引戸ストッパー１０について、図１〜図１１を用いて詳細に説明する。なお、以下の説明で使用する前後、上下、左右（戸開側、戸閉側）の方向は、図１および図２を正面から見たときの方向をいうものとする。
また、本明細書において、「閉状態」「閉じた状態」とは、引戸３が完全に閉じた状態をいい、「開状態」「開いた状態」とは、引戸３が完全に開いた状態をいうものとする。
【００２２】
引戸捕捉装置８、および引戸ストッパー１０が取り付けられる収納棚１は、図１に示すように、収納棚本体２と、この収納棚本体２の手前側開口部を覆う引戸３とで構成されている。この収納棚本体２の天面部２Ｂおよび底面部２Ｃの手前側には、左右に延在する溝が形成されており、この溝の内部に引戸レール４，６がそれぞれ取り付けられている。
【００２３】
引戸３の上側の左右の角部には、上側ガイド部５がそれぞれ左右対称に配設されている。この上側ガイド部５には、引戸３の上面よりも上側に突出する支持軸５Ａが設けられている。この支持軸５Ａは、上述した引戸レール４のスライド溝内部に入り込み、引戸レール４に沿って左右に案内されるようになっている。また、支持軸５Ａは、ばね５Ｂによって上側に付勢されており、ばね５Ｂに抗して支持軸５Ａを下側に押し下げることによって、引戸３が引戸レール４に着脱できるように構成されている。
【００２４】
また、引戸３の下側の左右の角部には、下側ガイド部７がそれぞれ配設されている。この下側ガイド部７には、走行ローラ７Ａが設けられている。この走行ローラ７Ａは、上述した底面部２Ｃ側の引戸レール６に沿って左右に走行する。これらの引戸レール４、６および上下のガイド部５、７によって、引戸３は、左右方向にスムーズに移動する。
【００２５】
一方、収納棚本体２の天面部２Ｂには、図１および図２に示すように、引戸レール４の左右の両端に引戸ストッパー１０がそれぞれ取り付けられている。引戸レール４の右側に位置する引戸ストッパー１０は、引戸３の戸閉時において引戸３が完全に閉じたとき（閉状態）に、支持軸５Ａを捕捉して引戸３の閉状態を保持する。一方、左側に位置する引戸ストッパー１０は、引戸３の戸開時において引戸３が完全に開いたとき（開状態）に、支持軸５Ａを捕捉して引戸３の開状態を保持する機能を有している。
【００２６】
なお、これらの引戸ストッパー１０は、左右で同じ構造であり、左右対称に配置されている。以下の説明では、右側に位置する引戸ストッパー１０について説明し、左側の引戸ストッパー１０の説明は省略する。また、本明細書で引戸捕捉装置８とは、引戸ストッパー１０と、支持軸５Ａによって構成されるものとする。
【００２７】
図３および図４は、図１および図２で示す引戸ストッパー１０の上下を逆にした状態で分解した分解斜視図である。また、図５は、ストッパー４０を単体で示した斜視図である。
【００２８】
引戸ストッパー１０は、図３〜図６に示すように、引戸ストッパー１０の上側の全体を覆うように構成される引戸ストッパー本体２０と、この引戸ストッパー本体２０の戸閉側に組み付けられるばね受け部材３０、ストッパー４０、ストッパー用ばね５０とで構成されている。
【００２９】
引戸ストッパー本体２０は、図３および図４に示すように、左右方向に長手方向を有しており、戸閉側に形成された取付部２２と、この取付部２２から戸開側へと延びるスライド溝部２３とで構成されている。取付部２２の端部には、上下方向に貫通する嵌合穴２２Ａが形成されている。この嵌合穴２２Ａには、詳細は後述するばね受け部材３０の嵌合突部３２Ａが組み付けられる。
【００３０】
スライド溝部２３は、断面が略コ字形状に形成されており、このコ字形状の開口が下側に向くように配置される。また、スライド溝部２３は、左右の側壁部２１を有しており、これらの側壁部２１に挟まれる態様で、左右方向へ延びるスライド溝２３Ａが設けられている。このスライド溝２３Ａは、天面部２Ｂに組み付けられた状態で（図２参照）、上述した引戸レール４のスライド溝（引戸３の支持軸５Ａが案内される溝）が延長されるように形成されている。
【００３１】
左右の側壁部２１の高さ寸法は、図４に示すように、戸開側から戸閉側に向かうに従い上側に段差状に３段階に低くなるようにしてある。
戸閉側の一番低い段差部２４Ａには、左右２つ（合計４つ）の固定用穴２１Ａがそれぞれ形成されている。これらの固定用穴２１Ａには、詳細は後述するばね受け部材３０の固定用突起３１Ａがそれぞれ挿入される。
また、中央部の左右の段差部２４Ｂには、その下面（図３および図４の紙面上では、上面）から下側に向かって突出する誘導突起２１Ｂがそれぞれ形成されている。これらの誘導突起２１Ｂには、詳細は後述するストッパー４０の誘導長穴４４（図３および図５参照）がそれぞれ挿入される。
【００３２】
ばね受け部材３０は、図３および図４に示すように、戸閉側に形成された取付部３２と、この取付部３２から戸開側へと延びるスライド溝部３４とで構成されている。取付部３２には、上側に向かって突出する嵌合突部３２Ａが設けられている。また取付部３２には、嵌合突部３２Ａを上下に貫通する態様で取付穴３２Ｂが形成されている。
【００３３】
スライド溝部３４には、左右に側壁部３１がそれぞれ形成されている。これらの左右の側壁部３１には、その上面（図３および図４の紙面上では、下面）から上側に向かって突出する左右２つ（合計４つ）の固定用突起３１Ａがそれぞれ形成されている。
【００３４】
また、スライド溝部３４には、左右の側壁部３１を前後方向に連結する態様でばね受け３３が設けられている。このばね受け３３の戸閉側の内面には、引戸ストッパー１０が組み立てられた状態で、詳細は後述するストッパー用ばね５０の一端部５１Ａが当接する（図１１参照）。
【００３５】
ストッパー４０は、図３〜図５に示すように、前後方向に並んで位置する２つの捕捉アーム４１と、左右方向に延在するスライド部４２とを備えている。なお、図５で示すストッパー４０は、図３および図４で示すストッパー４０と上下が逆にして描かれている。
【００３６】
捕捉アーム４１は、弾性を有する樹脂材料で形成されており、２つの捕捉アーム４１が基端部４１Ａで左右に連結されると共に先端部４１Ｃが開放された略Ｕ字形状に形成されている。これらの２つの捕捉アーム４１の間には、左右方向に延びる捕捉溝４３が設けられている。この捕捉溝４３には、引戸３の支持軸５Ａが戸開側（先端部４１Ｃ側）から入り込み、捕捉アーム４１によって係合・捕捉されるようになる。
【００３７】
また、２つの捕捉アーム４１には、捕捉溝４３の幅寸法が狭くなるように幅狭部４１Ｂがそれぞれ形成されている。より詳細には、捕捉アーム４１の捕捉溝４３側の内側面には、引戸ストッパー１０を上側から見た図８に示すように、捕捉アーム４１の戸開側の先端部から戸閉側に向かうに従って前後方向（図８の紙面上下方向）における内側（捕捉溝４３側）へ緩やかに傾斜する第１傾斜面４５が形成され、幅狭部４１Ｂで捕捉溝４３が最も狭くなっている。また、捕捉溝４３は、幅狭部４１Ｂからさらに戸閉側に向かうに従って外側へ拡がる態様で傾斜する第２傾斜面４６が形成されている。この第２傾斜面４６は、第１傾斜面４５と比較して、急傾斜になるように形成されている。
【００３８】
また、２つの捕捉アーム４１には、図５に示すように、その上面側に誘導長穴４４がそれぞれ形成されている。これらの２つの誘導長穴４４は、戸閉側から戸開側に向かうに従って２つの穴が前後方向に広がる（離れる）ようにハの字状に形成されている。
【００３９】
これらの誘導長穴４４の傾斜角度（左右に延びる水平線に対する誘導長穴４４の長手方向の鈍角の傾斜角度）は、水平線に対する第１傾斜面４５の鈍角の傾斜角度とほぼ一致（ほぼ平行）に形成されている。また、上述した誘導長穴４４の傾斜角度は、水平線に対する第２傾斜面４６の鈍角の傾斜角度よりも緩やかになるように形成されている。
【００４０】
これらの誘導長穴４４は、その左右方向の位置が、幅狭部４１Ｂよりも戸開側（左側）であって捕捉アーム４１のできるだけ先端部４１Ｃ側になるように形成されている。また、誘導長穴４４の長さは、ストッパー４０が移動距離Ｌ（詳細は後述する。図１０参照）を十分に移動できる長さに形成されている。
【００４１】
スライド部４２は、ストッパー４０が左右方向に移動するときに、左右の側面部４２Ｂが引戸ストッパー本体２０の内側面２１Ｃと接触し、摺動するように形成されている。これにより、ストッパー４０が引戸ストッパー本体２０に対して左右方向にスムーズに移動できるようになる。また、スライド部４２は、基端部４１Ａから上側に延びる連結部４２Ａで繋がっており、ストッパー４０全体が一体になるように形成されている。
【００４２】
また、連結部４２Ａの戸開側の内面には、引戸ストッパー１０が組み立てられた状態で、詳細は後述するストッパー用ばね５０の他端部５１Ｂが当接する（図１１参照）。すなわち、連結部４２Ａは、ストッパー用ばね５０の付勢力をストッパー４０に伝達する機能も果たしている。
【００４３】
ストッパー用ばね５０は圧縮コイルばねであり、ストッパー４０を戸閉側へと付勢するように機能する。
【００４４】
次に、引戸ストッパー１０の組立手順について、図６および図７を用いて説明する。
図６は、図４の状態からばね受け部材３０にストッパー４０およびストッパー用ばね５０を組み付けた分解斜視図、図７は、図５の状態から、ばね受け部材３０を引戸ストッパー本体２０に組み付けた分解斜視図である。
【００４５】
まず、図６に示すように、ストッパー４０をばね受け部材３０に組み付ける。このとき、ストッパー４０のスライド部４２は、ばね受け部材３０の取付部３２とばね受け３３の間に斜め下側から挿入する。その後、ばね受け部材３０のばね受け３３とストッパー４０の連結部４２Ａとの間に、ストッパー用ばね５０を挿入する。これにより、ストッパー用ばね５０の一端部５１Ａはばね受け３３によって受けられ、他端部５１Ｂは連結部４２Ａによって受けられるようになる。また、ストッパー４０は、ストッパー用ばね５０の付勢力によって、連結部４２Ａの戸閉側の面が取付部３２に当接するように押圧される。
【００４６】
その後、図７に示すように、ストッパー４０が組み付けられたばね受け部材３０を、引戸ストッパー本体２０に組み付ける。このとき、ばね受け部材３０の嵌合突部３２Ａは、引戸ストッパー本体２０の嵌合穴２２Ａに嵌め込まれる。また、ばね受け部材３０の４つの固定用突起３１Ａは、引戸ストッパー本体２０の４つの固定用穴２１Ａにそれぞれ挿入される。さらに、ストッパー４０の２つの誘導長穴４４は、引戸ストッパー本体２０の誘導突起２１Ｂに嵌め込まれる。さらにまた、ストッパー４０のスライド部４２は、その側面部４２Ｂが引戸ストッパー本体２０の内側面２１Ｃによって挟まれる態様で組み付けられる。これにより、引戸ストッパー１０の組み付けが完了する。
【００４７】
なお、ストッパー４０の連結部４２Ａの戸閉側の面と、ばね受け部材３０の取付部３２との間に、緩衝部材（図示せず）を取り付けるようにしてもよい。これによれば、ストッパー４０がストッパー用ばね５０の付勢力で移動したときに、この緩衝部材でストッパー４０を受けることで、衝突音やその振動を小さく抑えることができる。
【００４８】
次に、本発明に係る引戸捕捉装置８、および引戸ストッパー１０の動作および作用について、図８〜図１１を用いて説明する。
図８は、引戸３が完全に閉じられた状態であって、支持軸５Ａが捕捉溝４３の中で捕捉された状態を示す図、図９は、図８から引戸３を戸開側へ少し移動させた状態であって、支持軸５Ａが幅狭部４１Ｂに係合・捕捉された状態を示す図、図１０は、図９から引戸３をさらに戸開側へ移動させた状態であって、支持軸５Ａの捕捉が解除される状態を示す図である。また、図１１は、図８のＡ−Ａ断面図である。
なお、図８〜図１０では、説明を容易にするために、ストッパー４０を断面で示し、誘導突起２１Ｂと誘導長穴４４との位置関係が分かるようにしている。
【００４９】
まず、引戸３側に設けられた支持軸５Ａの水平断面形状について説明する。この支持軸５Ａの断面形状は、図８〜図１０に示すように、中央部Ｔ２がくびれたひょうたん形状に形成されている。また、左端部Ｔ１から中央部Ｔ２まで、および、中央部Ｔ２から右端部Ｔ３までがなだらかな曲線で繋がれている。さらに、支持軸５Ａの４つの角部が丸みを有するように面取りされている。これらの形状により、支持軸５Ａがストッパー４０の捕捉溝４３内へスムーズに侵入および離脱できるようになり、捕捉時の係合音（接触音）や振動が少なくなるようにしている。
【００５０】
引戸３を完全に閉じた状態では、図８に示すように、支持軸５Ａが捕捉溝４３内に入り込むようになる。より詳細には、ストッパー４０の幅狭部４１Ｂが支持軸５Ａのひょうたん型にくびれた中央部Ｔ２に入り込む態様で支持軸５Ａが捕捉アーム４１によって捕捉・保持される。この状態では、誘導突起２１Ｂは、誘導長穴４４の先端部４１Ｃ側に位置し、捕捉アーム４１の先端部４１Ｃが前後方向の外側に開かないようになる。この図８の状態から引戸３を戸開側に移動させると、支持軸５Ａの右端部Ｔ３が幅狭部４１Ｂに当接する。これにより、引戸３が容易に戸開側へ移動するのを防止している。
【００５１】
また、引戸３をさらに戸開側に移動させると、図９に示すように、支持軸５Ａの右端部Ｔ３が第２傾斜面４６或いは幅狭部４１Ｂを外側へと押圧し、捕捉アーム４１が弾性によって変形する。このとき、捕捉アーム４１の戸開側の先端部４１Ｃは、誘導突起２１Ｂが誘導長穴４４の先端部４１Ｃ側で嵌合しているので、前後方向の位置が規制されて外側に移動しない（拡開しない）。そのため、捕捉アーム４１は、基端部４１Ａおよび先端部４１Ｃによって両端が支持され、基端部４１Ａおよび先端部４１Ｃの間に位置する幅狭部４１Ｂの部分のみが外側に弾性変形するようになる。このように、幅狭部４１Ｂの両端を固定することによって、支持軸５Ａを大きな捕捉力（挟圧力）で捕捉・保持するようになる。
【００５２】
なお、第２傾斜面４６の傾斜角度は、第１傾斜面４５の傾斜角度と比較して急傾斜に形成されているので、支持軸５Ａが幅狭部４１Ｂを超えて戸開側へ移動するためには、大きな力を集中して作用させる必要がある。そのため、捕捉状態において、支持軸５Ａの右端部Ｔ３は、幅狭部４１Ｂを超えて戸開側に移動し難くなる。
一方、支持軸５Ａを戸開側から戸閉側へと入り込ませる力については、第１傾斜面４５が緩やかな傾斜で形成されているので、小さな力を徐々に作用させるだけでよい。そのため、戸閉時において、支持軸５Ａの右端部Ｔ３は、幅狭部４１Ｂを超えて戸閉側へ移動し易くなる。
【００５３】
また、図９の状態からさらに引戸３を戸開側に移動させると、幅狭部４１Ｂが支持軸５Ａの右端部Ｔ３を捕捉（挟圧）したまま、ストッパー４０を戸開側にスライド移動させるようになる。より詳細には、支持部５Ａを捕捉する力がストッパー用ばね５０の付勢力に勝り、ストッパー用ばね５０を圧縮しながらストッパー４０が移動距離Ｌ（図１０参照）だけ移動するようになる。この移動距離Ｌは、引戸３を勢いよく閉じて支持軸５Ａが戸開方向へ跳ね返ったとしても、ストッパー用ばね５０の付勢力で戸閉方向へ引き戻すことができる長さである。この移動距離Ｌは、引戸３の種類や大きさ、重量、形状等によって、最適な長さに設定することができる。
【００５４】
また、誘導突起２１Ｂは、図１０に示すように、ストッパー４０が移動距離Ｌだけ移動するのに伴い、戸開側（先端部４１Ｃ側）から戸閉側（基端部４１Ａ側）へと相対的に移動する。この誘導突起２１Ｂの相対的な移動のための力は、第２傾斜面４６の鈍角の傾斜角度よりも誘導長穴４４の鈍角の傾斜角度が緩くなっているため、支持軸５Ａの右端部Ｔ３が幅狭部４１Ｂを乗り越える力よりも、誘導突起２１Ｂが誘導長穴４４に沿って相対的に移動する力の方が小さくなる。
また、誘導長穴４４が捕捉アーム４１の先端部４１Ｃ側に配置されているので、基端部４１Ａからの長さを長く確保することで、誘導長穴４４部分に大きなモーメント力を作用させることができ、捕捉アーム４１の先端部４１Ｃを拡開させる力が小さくてすむ。
【００５５】
これにより、ストッパー４０の移動に伴い捕捉アーム４１の先端部が強制的に拡開方向Ｗ１へと開かれ、幅狭部４１Ｂと支持軸５Ａの右端部Ｔ３との捕捉が強制的に解除或いは幅狭部４１Ｂでの捕捉力が大幅に低減される。その結果、従来技術のように幅狭部４１Ｂを弾性変形させて強制的に乗り越えさせるほどの大きな戸開力を作用させなくても、ストッパー４０を移動距離Ｌだけ移動させつつ幅狭部４１Ｂでの捕捉を強制的に解除或いは捕捉力を低減できるので、引戸３に大きな力を作用させなくても容易に開くことができるようになる。
【００５６】
本発明の実施の形態に係る引戸捕捉装置８によれば、引戸３側に支持軸５Ａを設け、引戸レール４側に支持軸５Ａを捕捉する引戸ストッパー１０を設け、引戸３の閉状態を保持するものであり、引戸ストッパー１０は、引戸ストッパー本体２０と、支持軸５Ａを捕捉し、引戸ストッパー本体２０に対して引戸３の開閉方向へ移動可能に構成され、開方向へ移動したときに捕捉を強制的に解除或いは捕捉力を低減するストッパー４０と、ストッパー４０を戸閉方向へと付勢するストッパー用ばね５０とを備えているので、引戸３を開くときに従来技術のように捕捉アームの弾性に抗して大きな力を作用させる必要がなく、捕捉状態が容易に解除される或いは解除され易くなる。そのため、大きな力を作用させづらい人にとっても引戸３を容易に開けることができる。また、ストッパー４０の捕捉力は、従来技術と同等或いはそれ以上に設定することができるので、大きな捕捉力をそのまま維持することができる。
【００５７】
また、ストッパー４０は、２つの捕捉アーム４１を有し、これらの捕捉アーム４１の基端部４１Ａ側が連結されると共に先端部４１Ｃ側が開放された略Ｕ字形状に形成され、捕捉アーム４１の先端部４１Ｃ側から支持軸５Ａが入り込む捕捉溝４３が設けられており、捕捉アーム４１の弾性で支持軸５Ａを挟み込むことで支持軸５Ａを捕捉し、捕捉アーム４１を強制的に拡開することで支持軸５Ａの捕捉が解除或いは捕捉力が低減されるように構成しているので、簡単な構造で支持軸５Ａを捕捉し、かつ、強制的に捕捉を解除することができる。
【００５８】
また、ストッパー４０は、捕捉アーム４１が支持軸５Ａを捕捉した状態で、ストッパー用ばね５０の付勢力に抗して所定の移動距離Ｌだけ開方向へ移動するようにしているので、引戸３を勢いよく閉じて支持軸５Ａが戸開方向へ跳ね返ったとしても、この跳ね返りが移動距離Ｌ以下である場合には、ストッパー用ばね５０の付勢力で戸閉方向へ引き戻すことができる。また、所定の移動距離Ｌだけ移動したときに、捕捉アーム４１の捕捉を強制的に解除或いは、捕捉力を低減するようにしているので、戸開方向へ跳ね返った力で捕捉アーム４１の捕捉状態が強制的に解除されることを防止することができる。
【００５９】
さらに、引戸ストッパー本体２０に誘導突起２１Ｂまたは誘導長穴４４のいずれか一方を設け、捕捉アーム４１に誘導突起２１Ｂまたは誘導長穴４４が挿入される誘導長穴４４または誘導突起２１Ｂのいずれか他方を設け、ストッパー４０の開方向への移動によって誘導突起２１Ｂが誘導長穴４４に沿って移動することで、捕捉アーム４１が強制的に拡開するように構成しているので、上述した誘導長穴４４と誘導突起２１Ｂを設けるだけで、簡単な構造で支持軸５Ａの捕捉状態を強制的に解除することができる。
【００６０】
また、前記捕捉アームの前記誘導長穴または前記誘導突起のいずれか他方を、前記ストッパーの先端部側に配置しているので、捕捉アーム４１の基端部４１Ａおよび先端部４１Ｃを固定（両端支持）する態様で支持軸５Ａを挟み込むことによって、大きな捕捉力が得られるようになる。また、基端部４１Ａからの長さを長く確保することで、誘導長穴４４部分に大きなモーメント力を作用させることができるので、捕捉アーム４１の先端部４１Ｃを拡開させる力が小さくてすむ。
【００６１】
また、捕捉アーム４１の先端部４１Ｃと基端部４１Ａとの間には、捕捉溝４３の幅寸法を狭くした幅狭部４１Ｂが形成されているので、基端部４１Ａと先端部４１Ｃとの間で支持軸５Ａを挟み込むとともに、この間で支持軸５Ａと幅狭部４１Ｂとを左右方向で係合させることができる。そのため、より大きな捕捉力を確保することができる。
【００６２】
さらに、支持軸５Ａは、その断面形状において中央部Ｔ２がくびれたひょうたん型に形成され、捕捉アーム４１には、捕捉溝４３の幅寸法を狭くした幅狭部４１Ｂが形成され、捕捉アーム４１は、支持軸５Ａの中央部Ｔ２のくびれに幅狭部４１Ｂが入り込むようにして支持軸５Ａを捕捉しているので、捕捉アーム４１での捕捉を確実に行えるようになると共に、この捕捉力をより大きく確保することができる。
【００６３】
さらにまた、捕捉アーム４１の捕捉溝４３側の内側面には、幅狭部４１Ｂよりも戸開側に第１傾斜面４５が形成され、幅狭部４１Ｂよりも戸閉側に第１傾斜面４５よりも急傾斜な第２傾斜面４６が形成されているので、支持軸５Ａが戸開側から戸閉側に移動するときに、支持軸５Ａが幅狭部４１Ｂを超えて移動し易くなる一方、支持軸５Ａが戸閉側から戸開側に移動するときに、支持軸５Ａが幅狭部４１Ｂを超えて移動し難くなる。
【００６４】
また、誘導長穴４４の傾斜角度は、第２傾斜面４６の傾斜角度よりも緩やかに形成されているので、支持軸５Ａの右端部Ｔ３が幅狭部４１Ｂを乗り越える力よりも、誘導突起２１Ｂが誘導長穴４４に沿って相対的に移動する力の方が小さくなる。
【００６５】
また、本発明の実施の形態に係る引戸ストッパー１０によれば、引戸レール４側または引戸３側のいずれか一方に配置され、引戸３側或いは引戸レール４側のいずれか他方に設けられた支持軸５Ａを捕捉して引戸３の閉状態を保持するものであり、引戸ストッパー本体２０と、支持軸５Ａを捕捉し、引戸ストッパー本体２０に対して引戸３の開閉方向へ移動可能に構成され、開方向へ移動したときに捕捉を強制的に解除或いは捕捉力を低減するストッパー４０と、ストッパー４０を戸閉方向へと付勢するストッパー用ばね５０とを備えているので、引戸３を開くときに従来技術のように捕捉アームの弾性に抗して大きな力を作用させる必要がなく、捕捉状態が容易に解除される或いは解除され易くなる。そのため、大きな力を作用させづらい人にとっても引戸３を容易に開けることができる。また、ストッパー４０の捕捉力は、従来技術と同等或いはそれ以上に設定することができるので、大きな捕捉力をそのまま維持することができる。
【００６６】
また、ストッパー４０は、２つの捕捉アーム４１を有し、これらの捕捉アーム４１の基端部４１Ａ側が連結されると共に先端部４１Ｃ側が開放された略Ｕ字形状に形成され、捕捉アーム４１の先端部４１Ｃ側から支持軸５Ａが入り込む捕捉溝４３が設けられており、捕捉アーム４１の弾性で支持軸５Ａを挟み込むことで支持軸５Ａを捕捉し、捕捉アーム４１を強制的に拡開することで支持軸５Ａの捕捉が解除或いは捕捉力が低減されるように構成し、引戸ストッパー本体２０に誘導突起２１Ｂまたは誘導長穴４４のいずれか一方を設け、捕捉アーム４１に誘導突起２１Ｂまたは誘導長穴４４が挿入される誘導長穴４４または誘導突起２１Ｂのいずれか他方を設け、ストッパー４０の開方向への移動によって誘導突起２１Ｂが誘導長穴４４に沿って移動することで、捕捉アーム４１が強制的に拡開するように構成しているので、簡単な構造で支持軸５Ａを捕捉し、かつ、強制的に捕捉を解除することができる。
【００６７】
以上、本発明の実施の形態に係る引戸捕捉装置８および引戸ストッパー１０について述べたが、本発明は既述の実施形態に限定されるものではなく、本発明の技術思想に基づいて各種の変形および変更が可能である。
例えば、本実施の形態の引戸捕捉装置８では、引戸レール４側に引戸ストッパー１０を設け、引戸３側に支持軸５Ａを設けているが、これに限定されるものではない。例えば、本実施形態とは逆に、引戸レール４側に支持軸５Ａを設け、引戸３側に引戸ストッパー１０を設けるようにしてもよい。
また、本実施の形態では、引戸捕捉装置８を収納棚１の上側に設けているが、下側に設けるようにしてもよい。
【００６８】
また、本実施の形態では、引戸ストッパー本体２０と、ばね受け部材３０とを別体にして構成しているが、ばね受け３３を引戸ストッパー本体２０側に一体で設けるようにしてもよい。すなわち、ストッパー用ばね５０の付勢力でストッパー４０を戸閉側へ押圧することができる構造であればよい。
【００６９】
さらに、本実施の形態に係る引戸捕捉装置８および引戸ストッパー１０は、引戸３が完全に閉じたときに、その閉止状態を保持するものであるが、これに限定されない。例えば、引戸３が完全に開いたときに、その開状態を保持するものであってもよい。この場合、引戸ストッパー１０を引戸レール４の戸開側に設けると共に、支持軸５Ａを引戸３の戸開側に設けるだけで、簡単に構成することができる。このように構成することで、引戸が完全に開いた状態で大きな捕捉力を有し、かつ、大きな力を作用させずに引戸３を容易に閉じることができる。なお、２つの引戸捕捉装置８を戸開側と戸閉側の両方に構成することで、開状態と閉状態の両方の状態を保持するようにすることもできる。
【００７０】
また、本実施の形態では、引戸ストッパー本体２０側に誘導突起２１Ｂを設け、捕捉アーム４１側に誘導突起２１Ｂが挿入される誘導長穴４４を設けているが、逆であっても構わない。すなわち、引戸ストッパー本体２０側に誘導長穴４４を設け、捕捉アーム４１側に誘導突起２１Ｂを設けるようにしてもよい。この構造によっても、ストッパー４０の開方向への移動に伴い、捕捉アーム４１の先端部を強制的に拡開方向Ｗ１へ開いて、捕捉状態を解除することができる。その結果、引戸３に大きな力を作用させなくても容易に開くことができるようになる。
【００７１】
さらにまた、本実施の形態では、ストッパー４０は、２つの捕捉アーム４１で支持軸５Ａを挟むようにして捕捉しているが、これに限定されるものではない。例えば、捕捉アーム４１の代わりに支持軸５Ａを横から引っ掛けるようなフック状のものを回動させて、支持軸５Ａを捕捉するようにしてもよい。すなわち、ストッパーが所定の位置で支持軸５Ａを捕捉できる構造であれば、本発明に適用することができる。
【００７２】
また、本実施の形態では、支持軸５Ａの水平面で切断した断面形状をひょうたん型にしているが、この形状に限定されるものではない。図１２は、断面形状の変形例であって、図８に対応する図である。また、図１３は、断面形状の他の変形例であって、図８に対応するものである。
【００７３】
図１２で示す引戸捕捉装置７８では、支持軸７５Ａの断面形状が、図８の支持軸５Ａの断面形状と比較して、後側の面が平坦になる（くびれのない）ように形成されている。また、図８の捕捉アーム４１と比較して、ストッパー７２の後側の捕捉アーム７１であって、その内側面の形状が平坦になるように形成されている。
【００７４】
このストッパー７２は、前側の捕捉アーム４１の幅狭部４１Ｂのみが支持軸７５Ａの中央部Ｔ２のくびれ部に嵌合し、支持軸７５Ａを捕捉するようになっている。このように、引戸３の大きさや重量に起因してストッパー７２の捕捉力が十分に確保できるような場合には、前側の捕捉アーム４１のみで支持軸７５Ａを捕捉するようにしてもよい。なお、当然に、前後の捕捉アーム４１、７１を逆に構成して、後側の捕捉アーム４１のみで支持軸７５Ａを捕捉するようにしてもよい。
【００７５】
また、図１３で示す引戸捕捉装置８８では、ストッパー４０の構造は上述した実施形態と同じであるが、支持軸８５Ａの断面形状が略円形に形成されている。この構造では、支持軸８５Ａの外周面が第２傾斜面４６と当接し、２つの捕捉アーム４１が支持軸８５Ａを捕捉するようになっている。
なお、図１３において、支持軸８５Ａの断面形状は、円形のみならず、楕円形状や角部のない丸みを有する形状にすることもできる。
【符号の説明】
【００７６】
１  収納棚
２  収納棚本体
２Ｂ  天面部
２Ｃ  底面部
３  引戸
４、６  引戸レール
５  上側ガイド部
５Ａ  支持軸（被捕捉部材）
５Ｂ  ばね
７  下側ガイド部
７Ａ  走行ローラ
８、７８、８８  引戸捕捉装置
１０、７０  引戸ストッパー
２０  引戸ストッパー本体
２１  側壁部
２１Ａ  固定用穴
２１Ｂ  誘導突起
２１Ｃ  内側面
２２  取付部
２２Ａ  嵌合穴
２３  スライド溝部
２３Ａ  スライド溝
２４Ａ、２４Ｂ  段差部
３０  ばね受け部材
３１  側壁部
３１Ａ  固定用突起
３２  取付部
３２Ａ  嵌合突部
３２Ｂ  取付穴
３３  ばね受け
３４  スライド溝部
４０  ストッパー
４１  捕捉アーム
４１Ａ  基端部
４１Ｂ  幅狭部
４１Ｃ  先端部
４２  スライド部
４２Ａ  連結部
４２Ｂ  側面部
４３  捕捉溝
４４  誘導長穴
４５  第１傾斜面
４６  第２傾斜面
５０  ストッパー用ばね
５１Ａ  一端部
５１Ｂ  他端部
Ｌ  移動距離
Ｔ１  左端部
Ｔ２  中央部
Ｔ３  右端部
Ｗ１  拡開方向
【図１】
2015017461.tif 000003
【図２】
2015017461.tif 000004
【図３】
2015017461.tif 000005
【図４】
2015017461.tif 000006
【図５】
2015017461.tif 000007
【図６】
2015017461.tif 000008
【図７】
2015017461.tif 000009
【図８】
2015017461.tif 000010
【図９】
2015017461.tif 000011
【図１０】
2015017461.tif 000012
【図１１】
2015017461.tif 000013
【図１２】
2015017461.tif 000014
【図１３】
2015017461.tif 000015